(57)【要約】【課題】携帯トイレの携帯性および使用性の双方を向上させることを可能とする。【解決手段】折り畳み可能に構成された脚部１，１に便座兼用の座部２を格納可能に張架するとともに、その便座兼用の座部２に設けた便座開口２ａに排泄物収容部３を着脱可能に取り付けたことによって、排泄使用時には脚部１，１を広げて便座兼用の座部２に腰掛けることを可能とし、安定した使用状態を確保するとともに、携帯して移動する際に脚部１，１を折り畳んたときに便座兼用の座部２を格納可能とし良好な携帯性を確保する。さらに、排泄使用後には、排泄物収容部３を座部２から取り外して廃棄可能として繰り返して衛生的に使用可能とするとともに通常の携帯椅子としても使用可能としたもの。【選択図】      図１
2004242975.tif 000002
【特許請求の範囲】
【請求項１】
折り畳み可能に構成された脚部と、
その脚部の折り畳みとともに内部側に格納されるように当該脚部に取り付けられた便座兼用の座部と、
上記便座兼用の座部に貫通形成された便座開口に着脱可能に取り付けられた袋状の排泄物収容部と、
を備えていることを特徴とする携帯トイレ。
【請求項２】
前記排泄物収容部の開口が、前記座部の便座開口の周縁に沿って、剥離可能な固定手段により引き剥がし可能に取り付けられていることを特徴とする請求項１記載の携帯トイレ。
【請求項３】
前記排泄物収容部の内部に、脱臭剤入り吸水剤が挿入されていることを特徴とする請求項１記載の携帯トイレ。
【請求項４】
前記便座開口の排泄使用方向前端部分には、仕切受け板が立設されていることを特徴とする請求項２記載の携帯トイレ。
【発明の詳細な説明】
【０００１】
【発明の属する技術分野】
本発明は、屋外等において使用可能な携帯トイレに関する。
【０００２】
【従来の技術】
一般に、屋外に外出した際などにおいて緊急用に使用可能とした携帯トイレが種々提案されている。既に知られている従来の携帯トイレには、例えば、袋状の排泄物収容部に排泄用の開口部が設けられた簡易で小型の構造を備えたものや、分解・組立て可能に構成されたテント状の建家に便器部が一体に取り付けられた大型構造のものなどがある。
【０００３】
【発明が解決しようとする課題】
しかしながら、これら従来からある携帯トイレのうち、簡易・小型のものでは、携帯性には優れているものの、小便用に限られていたり、使用者自身で固定しながら用を足す必要があることから使用性に劣るという問題がある。一方、大型構造のものでは、便器部が固定されているために使用性は良好であるが、携帯性および簡易性に欠けるという問題がある。すなわち従来、携帯性および使用性の双方が共に良好な携帯トイレは未だ提案されていないのが現状である。
【０００４】
そこで本発明は、簡易な構造で、携帯性および使用性の双方に優れた携帯トイレを提供することを目的とする。
【０００５】
【課題を解決するための手段】
上記目的を達成するために、本発明の請求項１にかかる携帯トイレでは、折り畳み可能に構成された脚部と、その脚部の折り畳みとともに内部側に格納されるように当該脚部に取り付けられた便座兼用の座部と、上記便座兼用の座部に貫通形成された便座開口に着脱可能に取り付けられた排泄物収容部とを備えている。
【０００６】
このような構成を有する請求項１にかかる携帯トイレによれば、排泄使用時には、脚部を広げて便座兼用の座部に腰掛けることが可能となるために、安定した排泄使用状態が確保されるとともに、大小便の双方を容易に排泄可能となる。さらに携帯して移動する際には、脚部を折り畳んで便座兼用の座部を格納することが可能であるため、良好な携帯性が確保されるようになっている。
【０００７】
一方、排泄使用後には、排泄物収容部を座部から取り外して廃棄することが可能であることから、脚部及び座部は、繰り返して衛生的に排泄使用することが可能となっているとともに、排泄物収容部を座部から取り外した状態で、通常の携帯椅子としても使用することが可能である。従って、本発明にかかる携帯トイレは、アウトドア・ライフ等において大きな利便性を与えるものである。
【０００８】
また、本発明の請求項２にかかる携帯トイレでは、上記請求項１における排泄物収容部の開口が、座部に設けられた便座開口の周縁に沿って剥離可能な固定手段により引き剥がし可能に取り付けられている。このような構成を有する請求項２にかかる携帯トイレによれば、排泄物収容部の着脱が容易に行われることとなる。
【０００９】
さらに、本発明の請求項３にかかる携帯トイレでは、上記請求項１における排泄物収容部の内部には、脱臭剤入り吸水剤が挿入されている。このような構成を有する請求項３にかかる携帯トイレによれば、排泄物収容部の廃棄が容易かつ衛生的に行われる。
【００１０】
さらにまた、本発明の請求項４にかかる携帯トイレでは、上記請求項２における便座開口の排泄使用方向前端部分には仕切受け板が立設されている。このような構成を有する請求項４にかかる携帯トイレによれば、用を足す際における使用性が向上されるようになっている。
【００１１】
【発明の実施の形態】
以下、本発明の一実施形態にかかる携帯トイレを図面に基づいて詳細に説明する。
【００１２】
図１には、本発明の一実施形態にかかる携帯トイレの折り畳み可能な一対の脚部１，１を広げた使用状態が表されているとともに、図２には、脚部１，１を広げて使用の準備をしている状態が表されている。
【００１３】
これらの各図において上記脚部１，１は、平面略「コ」の字状に折り曲げ形成された一対のパイプ状部材を組み合わせた構造を備えており、それらの両脚部１，１における「コ」の字の両側縁に相当する立脚体１ａ，１ａどうしが、互いに正面略Ｘ字状にクロスするように重ね合わせられている。そして、そのＸ字状に重合された立脚体１ａ，１ａの長手方向中心部分が、ピン１ｂにより回転自在に連結されている。従って、上記一対の脚部１，１どうしは、上記ピン１ｂを支点として図示のように広げた状態と、正面略直線状をなすように折り畳み状態との間で回動可能な構造になされている。
【００１４】
また、上記各脚部１の両立脚体１ａ，１ａどうしを連結している「コ」の字の中央縁に相当する部位は、細長状バイブ部材からなる接地部１ｃに形成されており、その接地部１ｃが載置面上に当接されることによって、携帯トイレの全体が安定的に支持されるようになっている。
【００１５】
そして、図示したように脚部１，１を広げた使用状態においては、それらの各脚部１にそれぞれ設けられた接地部１ｃの両端部分から、上述した一対の立脚体１ａ，１ａが斜め上方に向かって略平行に延出するように設けられており、互いにクロスするように配置された一方側の脚部１と他方側の脚部１とにおける上端部分どうしの間に、平面略矩形状をなす座部２が張架されている。
【００１６】
この座部２は、適宜の柔軟性を有する材料から形成されており、上述したように上記両脚部１，１どうしが折り畳まれたときに、図示下方に向かって略「く」の字状をなすように二つ折り状態となり、その二つ折りの状態で、上記両脚部１，１どうしの間部分において図示下方側に垂れ下がるようにして内部側に格納される構成になされている。
【００１７】
ここで上記座部２は、便座を兼用する構成になされており、その座部２の略中央部分に平面略長方形状をなす便座開口２ａが貫通形成されている。そして、その便座兼用の座部２の下面側には、上記便座開口２ａの周縁に沿って袋状の排泄物収容部３が着脱可能に取り付けられている。
【００１８】
また、上記排泄物収容部３は、座部２の便座開口２ａに相当する袋開口３ａを備えた袋状部材から形成されており、例えば不織布とポリエチレンとの二重の構造になされている。より詳しくは、長方形状をなす一対の側面体３ｂ，３ｂが互いに対面するように配置されているとともに、それら一対の側面体３ｂ，３ｂにおける使用方向の前端縁（図示の手前側縁）どうしの間、及び使用方向の後端縁（図示の奥側縁）どうしの間に、略三角形状をなす前面体３ｃ及び後面体３ｄがそれぞれ一体的に接合されており、使用前の携帯状態においては、上記前面体３ｃ及び後面体３ｄの中心部分が袋内部側に向かって二つ折り状態に折り込まれている。そして、その携帯時には、上述した一対の側面体３ｂ，３ｂどうしが略平面状に重ね合わされた状態になされていて、袋開口３ａが閉塞された状態に維持されている。
【００１９】
一方、上記排泄物収容部３を使用するにあたっては、特に図２に示されているように、当該排泄物収容部３の上部開放部分を両側に向かって矢印のように開けば、下部側の閉塞底部３ｅが略直線辺状に閉じられた状態のままで上部側に略長方形状の袋開口３ｄが画成されることとなる。そして、その袋開口３ｄが開かれた状態の排泄物収容部３を、上述した便座兼用の座部２に設けられた便座開口２ａの上方側に配置し、当該排泄物収容部３の下部閉塞部３ｅから便座開口２ａ内に全体を落とし込むように挿入していくことによって装着が行われるようになっている。
【００２０】
また、上記排泄物収容部３の袋開口３ａを画成している上記両側面体３ｂ，３ｂの上端縁部分には、保護用の養生テープ（図示省略）が剥離可能に貼着された粘着部３ｆ，３ｆが、上記側面体３ｂ，３ｂの外側面において細長帯状をなすようにそれぞれ形成されている。
【００２１】
それらの各粘着部３ｆは、上記排泄物収容部３を便座兼用の座部２に装着した時点で、上述した便座開口２ａから上方側に突出するように構成されており、排泄物収容部３の装着直後に、上述した保護用の養生テープ（図示省略）が剥離されることによって上記各粘着部３ｆが露出状態となる。そして、それらの粘着部３ｆ，３ｆが、前記便座開口２ａの外方側に向かって略直角に折り曲げられることによって、上記便座兼用の座部２側に貼り付けられ、それらの各粘着部３ｆの保持力によって上記排泄物収容部３の全体が便座兼用の座部２側から垂下するようにして固定される。
【００２２】
一方、このようにして排泄物収容部３を固定した状態から、上記粘着部３ｆを便座兼用の座部２側から引き剥がすこととすれば、便座兼用の座部２側から排泄物収容部３の全体が容易に取り外されることとなる。
【００２３】
また、上記排泄物収容部３の使用方向前端側（図示の手前側）に配置された前面体３ｃの上端部分には、略三角形状なす仕切受け板３ｇが上方側に突出するように設けられていて、当該仕切受け板３ｇにより排泄時における飛散が防止されるようになっている。
【００２４】
さらに、上記袋状の排泄物収容部３内には、脱臭剤入りのゲル状吸水剤（吸水ポリマー）３ｈが挿入されていて、上記排泄物収容部３内への排出され水分等がゲル状に固化された状態に維持されるようになっている。
【００２５】
このように本実施形態にかかる携帯トイレによれば、排泄使用時には、図示のように両脚部１，１を広げた状態とすれば、便座兼用の座部２に腰掛けることが可能となるために安定した使用状態が確保されるとともに、大小便の双方を容易に排泄可能となる。また、携帯して移動する際には、両脚部１，１どうしを折り畳んだ状態として便座兼用の座部２を格納すれば、良好な携帯性が確保されることとなる。
【００２６】
一方、排泄使用後には、排泄物収容部３を座部２から取り外して廃棄することが可能である。つまり、使用後の排泄物収容部３を座部２から取り外した後に開口の両側縁部にそれぞれ設けられた粘着部３ｆ，３ｆの何れか一方側を他方側に向かって折り返して重ね合わせることにより貼り付けた状態とすれば、排泄物収容部３の開口が完全に閉塞された状態となり、その状態、あるいは更に二つ折りにして貼り付けた状態で、適宜に廃棄することが可能となることから、衛生的に使用することができる。
【００２７】
このとき、特に本実施形態では、上述した排泄物収容部３の開口が、座部２に設けられた便座開口２ａの周縁に沿って粘着部３ｆにより引き剥がし可能に取り付けられていることから、排泄物収容部３の着脱が容易に行われるようになっている。
【００２８】
また、排泄物収容部３を座部２から取り外した状態では、通常の携帯椅子としても使用することが可能であることから、アウトドア・ライフ等において大きな利便性が得られるようになっている。
【００２９】
さらに本実施形態では、排泄物収容部３の内部に脱臭剤入り吸水剤３ｈが挿入されていることから、排泄物収容部３の廃棄が容易かつ衛生的に行われることとなる。
【００３０】
さらにまた本実施形態では、上記座部２に設けられた便座開口２ａの使用方向前端部分に、仕切受け板３ｇが立設されていることから、用を足す際における使用性が向上されるようになっている。
【００３１】
以上、本発明の実施の形態を具体的に説明したが、本発明は上述した実施形態に限定されるものではなく、その要旨を逸脱しない範囲で種々変更可能であることはいうまでもない。
【００３２】
例えば、上述した実施形態では、粘着部３ｆを排泄物収容部３側に設けているが、座部２側に設けても良いし、双方に設けるようにしても良い。
【００３３】
また、上述した実施形態では、粘着部３ｆを用いて排泄物収容部３を装着しているが、ボタン型式のような他の多種多様な固着手段を用いて排泄物収容部３を装着することも可能である。
【００３４】
【発明の効果】
以上述べたように、本発明の請求項１にかかる携帯トイレは、折り畳み可能に構成された脚部に便座兼用の座部を格納可能に張架するとともに、その便座兼用の座部に設けた便座開口に排泄物収容部を着脱可能に取り付けたことによって、排泄使用時には脚部を広げて便座兼用の座部に腰掛けることを可能とし、安定した使用状態を確保するとともに大小便の双方を容易に排泄可能とし、かつ携帯して移動する際に脚部を折り畳んたときに便座兼用の座部を格納可能とし良好な携帯性を確保する構成に加えて、排泄使用後には、排泄物収容部を座部から取り外して廃棄可能として繰り返して衛生的に使用可能とするとともに通常の携帯椅子としても使用可能とした構成を備えた物であるから、携帯トイレの携帯性および使用性の双方を向上させることができ、アウトドア・ライフ等において大きな利便性を得ることができる。
【００３５】
また、本発明の請求項２にかかる携帯トイレは、上記請求項１における排泄物収容部を、座部に設けられた便座開口の周縁に沿って剥離可能な固定手段により引き剥がし可能に取り付けることによって排泄物収容部の着脱が容易に行われるように構成したものであるから、上述した効果に加えて携帯トイレの利便性をさらに向上させることができる。
【００３６】
さらに、本発明の請求項３にかかる携帯トイレは、上記請求項１における排泄物収容部の内部に脱臭剤入り吸水剤を挿入したことによって、排泄物収容部の廃棄が容易かつ衛生的に行われるように構成したものであるから、上述した効果をさらに向上させることができる。
【００３７】
さらにまた、本発明の請求項４にかかる携帯トイレは、上記請求項２における便座開口の排泄使用方向前端部分に仕切受け板が立設して、用を足す際における使用性を向上させたものであるから、上述した効果に加えて携帯トイレの利便性をさらに高めることができる。
【００３８】
【図面の簡単な説明】
【図１】本発明による携帯トイレの使用状態を表した外観斜視説明図である。
【図２】図１に表された携帯トイレの準備状態を表した外観斜視説明図である。
【符号の説明】
１  脚部
１ａ  立脚体
１ｂ  ピン
１ｃ  接地部
２  座部
２ａ  便座開口
３  排泄物収容部
３ａ  袋開口
３ｂ  側面体
３ｃ  前面体
３ｄ  後面体
３ｅ  下部閉塞部
３ｆ  粘着部
３ｇ  仕切受け板
３ｈ  脱臭剤入り吸水剤
【図１】
2004242975.tif 000003
【図２】
2004242975.tif 000004